(57)【要約】本発明に係る上半身用補助シーツ１０は、寝床の上部分の表面を覆う矩形状の被覆部１２と、前記被覆部の左右の側辺部分にそれぞれ延設された、前記寝床の厚みよりも大きな幅ｗ２を有する左右の折り返し部１３、１４と、前記被覆部の頭部側辺部分に延設された、前記寝床の厚みよりも大きな長さを有する頭頂部１５と、前記被覆部と前記頭頂部の境界部分の左端及び右端と、前記頭頂部の先端辺部分の左及び右の所定箇所をそれぞれ繋ぎ止めるための左右の繋止部材１６とを有する。この上半身用補助シーツ１０は、側辺が袋状となっていないため、部分的に取り付け・取り外しが容易にできる。また、寝床の両側面が折り返し部によって覆われるため汚れを確実に防止する。
2016178412.tif 000002
【特許請求の範囲】
【請求項１】
寝床の上部分の表面を覆う矩形状の被覆部と、
前記被覆部の左右の側辺部分にそれぞれ延設された、前記寝床の厚みよりも大きな幅を有する左右の折り返し部と、
前記被覆部の頭部側辺部分に延設された、前記寝床の厚みよりも大きな長さを有する頭頂部と、
前記被覆部と前記頭頂部の境界部分の左端及び右端と、前記頭頂部の先端辺部分の左及び右の所定箇所をそれぞれ繋ぎ止めるための左右の繋止部材と
を有することを特徴とする上半身用補助シーツ。
【請求項２】
前記頭頂部の左右の側辺部分に、寝床の厚みより大きな幅の左右の折込部が延設されていることを特徴とする請求項１に記載の上半身用補助シーツ。
【請求項３】
前記被覆部の裏面が防水性となっていることを特徴とする請求項１又は２に記載の上半身用補助シーツ。
【請求項４】
前記被覆部の下辺部分及び／又は左右の側辺部分が防水性となっていることを特徴とする請求項１〜３のいずれかに記載の上半身用補助シーツ。
【請求項５】
寝床の上端部に被せられる袋状の頭頂部と、
前記頭頂部の下端辺部に延設された、前記寝床の上半部の表面のうち上端部を除く部分を覆う矩形状の被覆部と、
前記被覆部の左右の辺部にそれぞれ延設された左右の折り返し部と
を備え、
前記頭頂部が、１枚のシーツ素材を折り曲げた状態が保持部で保持されることにより袋状に構成されていることを特徴とする上半身用補助シーツ。
【請求項６】
前記保持部が、上下方向に折り曲げられた状態のシーツ素材の左端及び右端をそれぞれ繋ぎ止める複数の繋止部材から構成されていることを特徴とする請求項５に記載の上半身用補助シーツ。
【請求項７】
前記繋止部材が紐状部材である、請求項６に記載の上半身用補助シーツ。
【請求項８】
前記繋止部材が、ベルトと該ベルトが挿入されるベルト通しから構成されている、請求項６に記載の上半身用補助シーツ。
【請求項９】
前記ベルト通しに挿入された前記ベルトが該ベルト通しから抜け出ることを妨げる、規制部材を備えることを特徴とする請求項８に記載の上半身用補助シーツ。
【請求項１０】
保持部が、折り曲げられた状態のシーツ素材の端部を圧着加工することにより形成された圧着加工部であることを特徴とする請求項５〜９のいずれかに記載の上半身用補助シーツ。
【発明の詳細な説明】
【技術分野】
【０００１】
本発明は、敷布団やマットレス等の寝床のうち上半身が位置する部分を覆う上半身用補助シーツに関し、特に病院で用いられる上半身用補助シーツに関する。
【背景技術】
【０００２】
敷布団やマットレス等の寝床（bed）はサイズが大きく厚みもあるため、汚れた時に容易に洗濯することができない。そこで、寝床が汚れないように、通常、交換可能で且つ洗濯が比較的容易なシーツで寝床の表面を覆うようにしている。【０００３】
シーツには、大きく分けてフラットシーツとボックス型シーツの２種類がある。寝床にシーツを取り付けたり、取り外したりする作業の容易さの点でボックス型シーツが優れる。ボックス型シーツは、例えば１枚の長方形状の布地の上下、左右の辺部を裏側に折り曲げ、隣り合う辺部の折り曲げ部分同士を縫合したもので、折り曲げ部分に囲まれた矩形状の開口を裏面側に有する。開口の周縁全体または一部にはゴム紐が通されており、該ゴム紐を伸ばして開口を大きく広げ、この部分から寝床に被せることによりボックス型シーツが寝床に取り付けられる。【０００４】
一般的なボックス型シーツは寝床の表面全体を覆うものであるが、寝床表面の一部のみを覆うようなボックス型シーツも提案されている。特に病院では、術後、身体を動かすことができない患者や寝たきりの患者が使用する寝具に対して、汚れやすい上半分のみを覆うボックス型シーツが補助シーツとして多用される。【０００５】
例えば特許文献１には、１枚の長方形状の布地の３辺を裏側に折り曲げ、隣り合う辺の折り曲げ部分同士を縫合して袋状にした補助シーツが記載されている。この補助シーツは、袋状になっていない残りの１辺側から寝床の頭頂部に被せることにより寝床の上半分に取り付けられる。また、寝床に取り付けられた補助シーツは、頭頂側から引き抜くことにより該寝床から取り外される。【０００６】
特許文献２には、１枚の長方形状の布地の１辺のみを裏側に折り曲げ、その両端を縫合して袋状にした補助シーツが記載されている。袋状の部分と反対側の補助シーツの辺部（下辺部）の両端部間にはゴム紐が掛け渡されている。この補助シーツは、寝床の頭頂部側から該寝床を補助シーツとゴム紐の間に通し、袋状の部分を頭頂部に被せることにより該寝床の上半分に取り付けられる。また、寝床に取り付けられた補助シーツは、そのまま又はゴム紐を緩めながら、頭頂側から引き抜くことにより該寝床から取り外される。
【先行技術文献】
【特許文献】
【０００７】
【特許文献１】特開2005-034507号公報
【特許文献２】実開平7-007570号公報
【発明の概要】
【発明が解決しようとする課題】
【０００８】
特許文献１の補助シーツは、３箇所の袋状部分に寝床の頭頂部および左右縁部が挿入されるため、寝床の上半分にしっかりと固定することができる。また、寝床の上半分の表面だけでなく、寝床の表面から上端部及び左右端部を経て裏面に至る部分が補助シーツで覆われるため、寝床が汚れることを確実に防止できる。その反面、寝床に取り付けたり取り外したりする作業に手間がかかり、特に患者が寝床に横たわったままの状態で補助シーツを取り付けたり取り外したりすることは困難である。
これに対して特許文献２の補助シーツは１個の袋状部分と１個の止着部材によって寝床に固定される。このため、寝床に取り付けたり取り外したりする作業が容易である反面、寝ている人が大きく動いて補助シーツの位置がずれたときに寝床表面の一部が露出し易く、汚れてしまうおそれがある。【０００９】
本発明が解決しようとする課題は、取り外し・取り付けが容易で、しかも寝床が汚れることを確実に防止することができる上半身用補助シーツを提供することである。
【課題を解決するための手段】
【００１０】
上記課題を解決するために成された本発明に係る上半身用補助シーツは、
寝床の上部分の表面を覆う矩形状の被覆部と、
前記被覆部の左右の側辺部分にそれぞれ延設された、前記寝床の厚みよりも大きな幅を有する左右の折り返し部と、
前記被覆部の頭部側辺部分に延設された、前記寝床の厚みよりも大きな長さを有する頭頂部と、
前記被覆部と前記頭頂部の境界部分の左端及び右端と、前記頭頂部の先端辺部分の左及び右の所定箇所をそれぞれ繋ぎ止めるための左右の繋止部材と
を有することを特徴とする。【００１１】
ここで、寝床の上部分とは、寝床の頭頂部（上端）から該寝床に横たわった人の肩が位置する部分、ないし腰部が位置する部分までの領域をいう。【００１２】
本発明に係る上半身用補助シーツは、例えば次のような手順で寝床に取り付けられる。まず初めに頭頂部を裏側に半分に折り曲げ、左右の繋止部材によって被覆部と頭頂部の境界部分の左右端と、頭頂部の先端辺部分の左右の所定箇所を繋ぎ止める。この左右の所定箇所は、前記被覆部と前記左右の折り返し部の境界線を延長した線上にあることが望ましい。繋止部材は、被覆部と頭頂部の境界部分の左端と頭頂部の先端辺部分の左の所定箇所、及び前記境界部分の右端と前記先端辺部分の右の所定箇所にそれぞれ取り付けられた一対の結び紐、面ファスナーのオス面とメス面、ボタンとボタン穴等から構成することができる。これにより、上半身用補助シーツの上端（頭頂部）が袋状となる。この袋状部分を寝床の頭頂部に被せて上半身用補助シーツの上端を寝床に固定する。それから被覆部を寝床の上にシワを伸ばしながら広げて、最後に、左右の折り返し部を寝床の下に折り込む。【００１３】
また、本発明に係る上半身用補助シーツは次のような手順で寝床に取り付けることができる。まず、寝床の上部分の表面に上半身用補助シーツの被覆部と頭頂部の一部を被せ、頭頂部の残りの部分（上半部分）及び左右の折り返し部を寝床の下に折り込む。その後、左右の繋止部材によって被覆部と頭頂部の境界部分の左右端と、頭頂部の先端辺部分の左右の所定箇所をそれぞれ繋ぎ止める。
いずれの手順で取り付けるかは、寝床の上に人が横たわっているか否か等の状況に応じて決めると良い。【００１４】
本発明に係る上半身用補助シーツが寝床に取り付けられた状態においては、寝床の上部分の表面に被覆部と頭頂部の一部が配置され、その他の部分は寝床の上部分の上側面及び左右側面、あるいは裏側に位置する。また、袋状になった部分に寝床の上端部分が入り込む。このため、寝床に寝ている人が大きく動いても頭頂部及び被覆部の位置がずれることがない。また、寝床の上部分の表面から左右の側面、上側面に至る広範囲が上半身用補助シーツで覆われるため、寝床が汚れることを防止できる。【００１５】
この上半身用補助シーツを取り外すときは、繋止部材を外した後、頭頂部及び左右の折り返し部を寝床の下から引き出して寝床から剥ぐ。また、寝床に人が横たわっているときは、左右の折り返し部、頭頂部のいずれか一つを引っ張り、寝床と人の間から引き抜く。
さらに、上半身用補助シーツが汚れているときは、次のような手順で寝床から取り外す。繋止部材をそのままの状態にして、左右の折り返し部を寝床の下から引き出し、いずれか一方（例えば汚れが多く付着している側）を表面が内側にくるように、被覆部に向かって丸めるように折り畳む。被覆部の半分程度が折り畳まれたら、他の折り返し部も同様に折り畳み、その後、左右の折り返し部とともに折り畳まれた被覆部を頭頂部に向かって折り畳む。そして、袋状の頭頂部を寝床の頭頂部から引き抜き、その部分に折り畳んだ部分（すなわち左右の折り返し部と被覆部）を収容する。【００１６】
このようにすることで、汚れを内側に閉じ込めながら上半身用補助シーツを寝床から取り外すことができるため、作業者の手や服等に汚れが付いたり、汚れが飛び散ったりすることがない。【００１７】
前記頭頂部の左右の側辺部分に、寝床の厚みより大きな幅の左右の折込部を延設することが好ましい。折込部は、頭頂部の左右の側辺部分の全体に設けても良いが、寝床の表面に位置する部分の左右の側辺部分のみに設けても良い。【００１８】
この構成により、寝床の上部分の両側面全体が上半身用補助シーツで覆われることとなり、寝床の汚れをより広範囲に防止できる。また、上半身用補助シーツを取り付けたときの見た目がよくなる。【００１９】
前記被覆部の裏面を防水性にすれば、汚れが上半身用補助シーツの裏面に染み込まず、下の寝床が汚れない。【００２０】
前記被覆部の下辺部分及び／又は左右の側辺部分を防水性にすれば、汚れが被覆部から流れ出ることを防止でき、上半身用補助シーツで覆われていない寝床部分が汚れることを防止できる。【００２１】
また、上記課題を解決するために成された本発明に係る上半身用補助シーツは、
寝床の上端部に被せられる袋状の頭頂部と、
前記頭頂部の下端辺部に延設された、前記寝床の上半部の表面のうち上端部を除く部分を覆う矩形状の被覆部と、
前記被覆部の左右の辺部にそれぞれ延設された左右の折り返し部と
を備え、
前記頭頂部が、１枚のシーツ素材を折り曲げた状態が保持部で保持されることにより袋状に構成されていることを特徴とする。【００２２】
前記保持部は、上下方向に折り曲げられた状態のシーツ素材の左端及び右端をそれぞれ繋ぎ止める複数の繋止部材から構成することができる。繋止部材としては、一組の紐状部材が挙げられる。この構成によれば、繋止部材を緩く繋ぎ止めたり、きつく繋ぎ止めたりすることにより、寝床の大きさに合わせて頭頂部の大きさを調整することができる。【００２３】
前記繋止部材は、一組の紐状部材やベルトと該ベルトが挿入されるベルト通しから構成することができる。
繋止部材をベルトとベルト通しから構成する場合、ベルト通しに挿入された前記ベルトが該ベルト通しから抜け出ることを妨げる規制部材を設けると、頭頂部を袋状にした状態を確実に保持することができる。【００２４】
また、保持部は、折り曲げられた状態のシーツ素材の端部を圧着加工することにより形成された圧着加工部とすることができる。この構成によれば、頭頂部を予め袋状にしておくことができる。
【発明の効果】
【００２５】
本発明に係る上半身用補助シーツによれば、取り外し・取り付けが容易で、しかも寝床が汚れることを確実に防止することができる。
【図面の簡単な説明】
【００２６】
【図１】本発明の第１実施例に係る上半身用補助シーツの概略図(a)、及びこの補助シーツの頭頂部を展開した図(b)。
【図２】同実施例の上半身用補助シーツをマットレスに取り付ける作業の手順の説明図。
【図３】同実施例の上半身用補助シーツをマットレスから取り外す作業の手順の説明図。
【図４】本発明の第２実施例に係る上半身用補助シーツの平面図。
【図５】第２実施例に係る上半身用補助シーツの変形例の平面図。
【図６】第２実施例に係る上半身用補助シーツの別の変形例の平面図。
【図７】本発明の第３実施例に係る上半身用補助シーツの平面図。
【図８】同実施例の上半身用補助シーツをマットレスに取り付ける作業の手順の説明図。
【図９】本発明の第４実施例に係る上半身用補助シーツの平面図。
【図１０】同実施例の上半身用補助シーツをマットレスに取り付ける作業の手順の説明図。
【図１１】本発明の第５実施例に係る上半身用補助シーツの平面図。
【図１２】同実施例の上半身用補助シーツをマットレスに取り付ける作業の手順の説明図。
【図１３】本発明の第６実施例に係る上半身用補助シーツの平面図。
【図１４】本発明の第７実施例に係る上半身用補助シーツの平面図。
【図１５】本発明の第８実施例に係る上半身用補助シーツの平面図。
【図１６】同実施例に係る上半身用補助シーツを、頭頂部を展開して示す図。
【図１７】同実施例の変形例に係る上半身用補助シーツの平面図。
【図１８】同実施例の変形例に係る上半身用補助シーツの展開図。
【図１９】同実施例の別の変形例に係る上半身用補助シーツの平面図。
【図２０】同実施例の別の変形例に係る上半身用補助シーツの展開図。
【図２１】同実施例のさらに別の変形例に係る上半身用補助シーツの平面図。
【図２２】同実施例のさらに別の変形例に係る上半身用補助シーツの展開図。
【図２３】本発明の変形例に係る上半身用補助シーツをマットレスに装着した様子を示す斜視図。
【図２４】本発明の別の変形例に係る上半身用補助シーツをマットレスに装着した様子を示す斜視図。
【発明を実施するための形態】
【００２７】
以下、本発明に係る上半身用補助シーツの具体的な実施例について説明する。なお、以下の説明では、寝床の上に人が仰向けで横たわったときのその人の頭部側を上、脚部側を下、その人の右手側を左、左手側を右とする。
【００２８】
［第１実施例］
図１（ａ）及び（ｂ）に示すように、本発明の第１実施例に係る上半身用補助シーツ（以下、単に「補助シーツ」ともいう。）１０は、シーツ本体１１と２本のゴム紐１６から構成されている。シーツ本体１１は１枚のシートを所定の形状に切り取ったもので、寝床であるマットレスの表面を覆う長方形状の被覆部１２と、該被覆部１２の左辺部及び右辺部からそれぞれ延設された左折り返し部１３及び右折り返し部１４と、被覆部１２の上辺部に延設された頭頂部１５とから成る。
【００２９】
シーツ本体１１を構成するシートとしては、防水加工が施された不織布や綿や麻等の布、紙等を用いることができる。例えば医療の現場において手術用シーツとして汎用されている「ラミシーツ」（商品名、メドライン・ジャパン合同会社製）の材料として用いられている、防水性のポリオレフィン系不織布あるいはセルロース系不織布が挙げられる。シーツ本体１１を防水性にすることにより、補助シーツ１０の表面に付着した汚れがマットレスまで浸透することを防ぐことができる。
【００３０】
また、シーツ本体１１は、表面側を不織布やパイル地（タオル地）等の吸水性を有する材料から構成し、裏面側をポリエチレンフィルムやポリプロピレンフィルム等の防水性を有する素材から構成する等、表面側と裏面側が異なる材料から構成されていても良い。表面を吸水性を有する素材から構成することにより、肌触りのよい補助シーツ１０となる。このような材料として例えば「アンダーパッドＣ」（商品名、日本シグマックス株式会社製）が挙げられる。
どのような材料からシーツ本体１１を構成するかは、補助シーツ１０が取り付けられる寝床の種類、使用目的等を考慮して適宜選択するとよい。
【００３１】
被覆部１２の幅ｗ１はマットレスの幅と略同じ長さに設定され、被覆部１２の長さＬ１はマットレスの長さの半分よりもやや短い長さに設定されている。被覆部１２の長さＬ１がこのような長さに設定されていることにより、補助シーツ１０をマットレスに取り付けた状態で該マットレスの上に人が横たわったとき、その人の腕の付け根辺り、もしくは腰部辺りに被覆部１２の下辺部が位置する。
【００３２】
左右の折り返し部１３、１４は略矩形状であり、その幅ｗ２はマットレスの厚みの約２倍〜３倍に設定されている。この幅ｗ２はマットレスの幅より長ければ特に限定されないが、２倍より短いと、マットレスに取り付けられた補助シーツ１０が外れやすくなり、３倍より長いと、マットレスに補助シーツ１０を取り付けにくくなる。
【００３３】
頭頂部１５はマットレスの上端部に被せられる部分である。頭頂部１５は、六角形の部分を折り返して袋状にしたもので、該六角形の部分の左右両側の上端部と下端部の間にそれぞれ１本ずつゴム紐１６が掛け渡されている。六角形の部分の長さＬ２は、頭頂部１５をマットレスの頭頂側に被せたときに直ぐに外れてしまわない長さで、且つ、人が横たわっているマットレスの頭頂側に容易に取り付けることができる長さ、具体的には、マットレスの厚みよりも２０ｃｍ〜５０ｃｍ程度長く設定されている。
【００３４】
２本のゴム紐１６は本発明の繋止部材、もしくは保持部に相当する。２本のゴム紐１６のうちの１本は、その一端が被覆部１２の上辺部の左端部付近（図１（ｂ）に符号Ｂ１を付した箇所）に、他端が頭頂部１５の上端部の左端部付近（図１（ｂ）に符号Ｂ２を付した箇所）に縫合されている。また、残り１本のゴム紐１６は、その一端が被覆部１２の上辺部の右端部付近（図１（ｂ）に符号Ｂ３を付した箇所）に、他端が頭頂部１５の上端部の右端部付近（図１（ｂ）に符号Ｂ４を付した箇所）に縫合されている。袋状の頭頂部１５をマットレスに取り付ける際はゴム紐１６は引き伸ばされ、頭頂部１５がマットレスに取り付けられた後は、ゴム紐１６の弾性力によって該頭頂部１５はマットレスの上端に固定される。
【００３５】
上記構成の補助シーツ１０を、人Ｈが仰向けに寝ているマットレスＭに取り付ける作業を図２を参照しながら説明する。なお、図２中、アルファベットＳに併記する数字は作業の順番を示しており、その横の矢印は各作業における補助シーツ１０の動きを表す。
【００３６】
まず、左右の折り返し部１３、１４を被覆部１２の上に折り畳んで重ねる（図２(a)のＳ１１）。そして、被覆部１２の下辺部側から上辺部まで、被覆部１２の上面を内側にして補助シーツ１０を折り畳む、あるいは巻回する（図２(a)のＳ１２、図２(b)）。この状態でゴム紐１６を引き伸ばして、頭頂部１５をマットレスＭの上端部に被せる（図２(c)のＳ１３）。その後、ゴム紐１６を引き伸ばすことを止めると、補助シーツ１０の頭頂部１５がゴム紐１６の弾性力によってマットレスＭに固定される。
【００３７】
次に、人ＨをマットレスＭの右端に移動させて（図２(ｄ)、Ｓ１４）、マットレスＭの左半部を空け、その部分に被覆部１２を広げた後（図２(d)、Ｓ１５、Ｓ１６）、折り返し部１３をマットレスＭの下に折り込む（図２(d)、Ｓ１７）。続いて、人ＨをマットレスＭの左端に移動させて（図２(e)、Ｓ１８）、マットレスＭの右半部を空け、その部分に被覆部１２を広げた後（図２(e)、Ｓ１９）、折り返し部１４をマットレスＭの下に折り込む（図２(e)、Ｓ２０）。
【００３８】
このように本実施例の補助シーツ１０は、左右の側辺部分が袋状となっていないため、マットレスＭの全体に一度に被せる必要がなく、部分的に取り付けていくことができる。その結果、マットレスＭの上に人Ｈが寝ていても容易に取り付けることができる。また、最初に頭頂部１５をマットレスＭに固定しているため、取り付け時や使用時の位置ずれが起こりにくい。
【００３９】
また、本実施例の補助シーツ１０は、頭頂部１５の繋止部材に伸縮性を有するゴム紐１６を用いているため、頭頂部１５の幅ｗ１がマットレスＭの幅より多少短い又は長い場合でも補助シーツ１０の頭頂部１５をマットレスの上端にしっかりと固定することができる。また、補助シーツ１０の左右の折り返し部１３、１４は袋状ではなくシートのままであるため、マットレスＭの表面と側面を好適に覆うことができる。さらに、頭頂部１５は略六角形状でマットレスＭの上端にくる部分が幅広となっているため、頭頂部１５の幅ｗ１がマットレスＭの幅より多少短い場合でも、マットレスＭの上端を好適に覆うことができる。
【００４０】
続いて、補助シーツ１０をマットレスＭから取り外す作業を図３を参照しながら説明する。ここでは、マットレスＭの右側に人Ｈが寝ており、補助シーツ１０の左側に汚れＤが付着しているものとする（図３(a)）。
【００４１】
まず、左の折り返し部１３をマットレスＭの下から引き出し（図３(a)、Ｓ３１）、この折り返し部１３とそれに繋がる被覆部１２を、該被覆部１２の上面が内側にくるように丸めながら、あるいは折り畳みながらマットレスＭから剥いでいく（図３(a)、Ｓ３２）。または、汚れＤが付着した部分を隠すように折り返し部１３を折り畳んだ上で、被覆部１２を丸めても良い。頭頂部１５がマットレスＭに固定されているため、被覆部１２は、その左上半部よりも左下半部の方が大きく折り畳まれることになる。そして、汚れＤが付着した箇所が隠れるまで被覆部１２を折り畳んだら（図３(b)）、マットレスＭの左側に人Ｈを移動させる（図３(c)、Ｓ３３）。
【００４２】
続いて、右の折り返し部１４をマットレスＭの下から引き出し（図３(c)、Ｓ３４）この折り返し部１４とそれに?がる被覆部１２を、該被覆部１２の上面が内側にくるように丸める（図３(c)、Ｓ３５）。そして、折り畳まれていない、残りの被覆部１２の形状が略三角形になった時点で（図３(d)）、被覆部１２を頭頂部１５に向けて折り畳み（図３(d)、Ｓ３６）、人Ｈの頭部よりも上まで折り畳まれたら、頭頂部１５の袋状部分をマットレスＭの上端部から引き抜く（図３(e)、Ｓ３７）。その後、頭頂部１５の袋状部分を裏返し、その中に折り畳んだ部分（すなわち左右の折り返し部１３、１４と被覆部１２）を収容する（図３(f)、図３(g)、Ｓ３８、Ｓ３９）。
【００４３】
このように、補助シーツ１０は折り返し部１３、１４が袋状になっていないため、マットレスＭの上に人Ｈが寝ていても該マットレスＭの下から折り返し部１３、１４を簡単に引き出すことができる。また、補助シーツ１０に付着した汚れＤを包み込むように該補助シーツ１０を折り畳みながらマットレスＭから取り外すことができるため、汚れＤが周囲に飛び散ったり、マットレスＭの上の人Ｈの身体や衣服、作業者の手や衣服に汚れＤが付着することを防止できる。さらに、折り畳んだ部分を頭頂部１５の袋状部分に収容することにより、補助シーツ１０を折り畳んだ状態を維持することができる。従って、取り外した補助シーツ１０をしばらくの間、放置して別の作業を行っても、補助シーツ１０に付着した汚れ１０が露出することがない。また、補助シーツ１０を廃棄する際に嵩張らないため、使い捨て仕様の補助シーツに好適である。
【００４４】
［第２実施例］
図４は、第２実施例に係る上半身用補助シーツ（以下、「補助シーツ」という。）１１０の平面図である。第１実施例に係る補助シーツ１０と同一又は対応する部分には下２桁が同じ数字を付し、適宜説明を省略する。
【００４５】
この補助シーツ１１０は、シーツ本体１１１と２組の結び紐１５０、１５１から構成されている。シーツ本体１１１は、矩形状の被覆部１１２と、該被覆部１１２の上辺に延設された矩形状の頭頂部１１５と、該頭頂部１１５の左右の辺部の下半部に延設された左折込部１５２及び右折込部１５３と、該被覆部１１２の左右の辺部に延設された矩形状の左折り返し部１１３及び右折り返し部１１４とから成る。
２組の結び紐１５０、１５１は、それぞれ頭頂部１１５の左右の辺部の上下に接着により取り付けられている。結び紐１５０、１５１の長さは、例えば折り返し部１１３、１１４の幅とほぼ同じ長さ（マットレスの厚みの約２倍〜３倍）に設定されている。
【００４６】
上記補助シーツ１１０は、次のようにしてマットレスに取り付けられる。
まず、頭頂部１１５を裏側に向けて半分に折り曲げ、各組の２本の結び紐を結ぶ。このとき、結んだ後の２本の結び紐の長さがマットレスの厚み程度になるようにしておく。これにより、補助シーツ１１０の頭頂部１１５が袋状となるため、第１実施例の補助シーツ１０と同様の手順（Ｓ１１〜Ｓ２０）でマットレスに取り付ける。そして、最後に、左右の折込部１５２、１５３を、左右の折り返し部１１３、１１４と同じようにマットレスの下に折り込む。
【００４７】
このようにしてマットレスに取り付けた補助シーツ１１０は、２組の結び紐１５０、１５１の結び目を解くことなく、頭頂部１１５を袋状にしたままの状態で、第１実施例と同様の手順（Ｓ３２〜Ｓ３９）でマットレスから取り外すことができる。
【００４８】
このように、本実施例の補助シーツ１１０では、２組の結び紐１５０、１５１を結ぶことにより頭頂部１１５を袋状にしたため、様々な厚みのマットレスに適用できる。また、頭頂部１１５と、その左右両側の折込部１５２、１５３によってマットレスの上端部分の全体を覆うようにしたため、マットレスが汚れることをより一層防止することができる。
【００４９】
なお、この補助シーツ１１０は、２組の結び紐１５０、１５１の結び目をそれぞれ解き、頭頂部１１５、左右の折込部１５２、１５３、及び左右の折り返し部１１３、１１４をマットレスの下から引き出した後、マットレスの左側、右側、足元側の適宜の方向から引っ張って取り外すこともできる。
【００５０】
また、本実施例に係る補助シーツ１１０は次のような手順でも取り付けることができる。まず、被覆部１１２と、頭頂部１１５の下半部をマットレスの上半部の上に広げる。続いて、頭頂部１１５の残りの部分（上半部）及び左右の折り返し部１１３、１１４をマットレスの下に折り込む。そして、マットレスの左右両側において、各組の結び紐１５０、１５１をそれぞれマットレスの厚みに合わせて結んだ後、左右の折込部１５２、１５３をそれぞれマットレスの下に折り込む。
【００５１】
補助シーツ１１０を取り付ける手順、取り外す手順は、寝床の上に人が横たわっているか否かや、補助シーツ１１０に汚れが付着している位置等の状況に応じて決めると良い。
【００５２】
図５は、第２実施例に係る補助シーツ１１０の変形例を示す。この例では、シーツ本体１１１と２組の結び紐１５０Ａ、１５１Ａが一体的に構成されている。このような補助シーツ１１０は１枚の不織布製のシートを切り抜き加工することにより製造することができる。
【００５３】
図６は、第２実施例に係る補助シーツのさらに別の変形例を示す。この例では、頭頂部１１５の両側の折込部が省略されている以外は図５に示す補助シーツと同じである。つまり、この例でも、シーツ本体１１１と２組の結び紐１５０Ａ、１５１Ａが一体的に構成されている。
【００５４】
上述の２つの変形例では、シーツ本体１１１に結び紐を接着する手間が省けるため、製造コストを低く抑えることができる。
【００５５】
［第３実施例］
図７は、第３実施例に係る上半身用補助シーツ（以下、「補助シーツ」という。）２１０の平面図である。第２実施例に係る補助シーツ１１０と同一又は対応する部分には下２桁が同じ数字を付し、適宜説明を省略する。
【００５６】
この補助シーツ２１０は、１枚の不織布シートを打ち抜き加工したもので、シーツ本体２１１と、２本の締め付けベルト２６０、２６１と、ベルト通し２７０、２７１とから構成されている。シーツ本体２１１は、矩形状の被覆部２１２と、該被覆部２１２の上辺に延設された矩形状の頭頂部２１５と、該被覆部２１２の左右の辺部に延設された左折り返し部２１３及び右折り返し部２１４とから成る。
２本の締め付けベルト２６０、２６１は、それぞれ頭頂部２１５の左右の辺部の上部から延設されており、その長さは、例えばマットレスの厚みの約３倍〜５倍に設定されている。
ベルト通し２７０、２７１は頭頂部２１５の左右の辺部の下部に延設されており、それぞれ、前記締め付けベルト２６０、２６１の幅とほぼ同じ長さの細孔２７２、２７３を２個ずつ有している。
【００５７】
上記補助シーツ２１０は図８に示す手順でマットレスＭに取り付けられる。
まず、被覆部２１２と、頭頂部２１５の下半部をマットレスＭの上半部の上に広げる。そして、頭頂部２１５の上半部、及び左右の折り返し部２１３、２１４をそれぞれマットレスＭの下に折り込む（図８（１））。次に、締め付けベルト２６０、２６１を、それぞれベルト通し２７０、２７１の内側（頭頂部２１５側）の細孔２７２、２７３に下から上に向かって通す（図８（２））。続いて、細孔２７２、２７３に通した締め付けベルト２６０、２６１を、ベルト通し２７０、２７１の外側の細孔２７２、２７３に上から下に向かって通した後、マットレスＭの下に折り込む（図８（３））。以上により、補助シーツ２１０はマットレスＭに取り付けられる。
【００５８】
マットレスＭに取り付けられた補助シーツ２１０は、第１実施例と同様の手順（Ｓ３２〜Ｓ３９）でマットレスＭから取り外すことができる。
【００５９】
本実施例の補助シーツ２１０では、締め付けベルト２６０、２６１をベルト通し２７０、２７１の細孔２７２、２７３に通すことで頭頂部２１５が袋状になるようにしたため、補助シーツ２１０のマットレスＭへの取り付け作業が簡単になる。  
【００６０】
［第４実施例］
図９は、第４実施例に係る上半身用補助シーツ（以下、「補助シーツ」という。）３１０の平面図である。第３実施例に係る補助シーツ２１０と同一又は対応する部分には下２桁が同じ数字を付している。
【００６１】
この補助シーツ３１０は、補助シーツ２１０と同様に、１枚の不織布シートを打ち抜き加工したもので、シーツ本体３１１と、２本の締め付けベルト３６０、３６１と、ベルト通し３７０、３７１とから構成されている。シーツ本体３１１は、矩形状の被覆部３１２と、該被覆部３１２の上辺に延設された矩形状の頭頂部３１５と、該被覆部３１２の左右の辺部に延設された左折り返し部３１３及び右折り返し部３１４とから成る。
２本の締め付けベルト３６０、３６１は、それぞれ頭頂部３１５の左右の辺部の上部から延設されており、その長さは、例えばマットレスの厚みの約３倍〜５倍に設定されている。
【００６２】
締め付けベルト３６０、３６１は、いずれも縁部が鋸歯状になっており、ベルト通し３７０、３７１の細孔３７２、３７３に通した締め付けベルト３６０、３６１を、該細孔３７２、３７３から引き抜くことができないようになっている。従って、本実施例では、締め付けベルト３６０、３６１自身が本発明の規制部材に相当する。
【００６３】
図１０（１）〜（３）は、上記補助シーツ３１０をマットレスＭに取り付ける手順を示しており、基本的な作業の内容は、第３実施例の補助シーツ２１０と同じである。
ただし、補助シーツ３１０は、締め付けベルト３６０、３６１の縁部が鋸歯状になっており、ベルト通し３７０、３７１の細孔３７２、３７３に通した締め付けベルト３６０、３６１が緩むことがないため、マットレスＭの上端部に頭頂部３１５を強く固定することができる。
【００６４】
［第５実施例］
図１１は、第５実施例に係る上半身用補助シーツ（以下、「補助シーツ」という。）４１０の平面図である。第３実施例に係る補助シーツ２１０と同一又は対応する部分には下２桁が同じ数字を付している。
【００６５】
この補助シーツ４１０は、補助シーツ２１０と同様に、１枚の不織布シートを打ち抜き加工したもので、シーツ本体４１１と、２組の締め付けベルト４６０、４６１と、２組のベルト通し４７０、４７１とから構成されている。
具体的には、頭頂部４１５の左辺部の上下端部には、それぞれベルト通し４７０が形成されており、該ベルト通し４７０に締め付けベルト４６０が一体的に形成されている。また、頭頂部４１５の右辺部の上下端部には、それぞれベルト通し４７１が形成されており、該ベルト通し４７１に締め付けベルト４６１が延設されている。各ベルト通し４７０、４７１には締め付けベルト４６０、４６１の幅と同じ細孔４７２、４７３が形成されている。
【００６６】
図１２（１）〜（３）は、上記補助シーツ４１０をマットレスＭに取り付ける手順を示している。
まず、被覆部４１２と、頭頂部４１５の下半部をマットレスＭの上半部の上に広げる。そして、頭頂部４１５の上半部、及び左右の折り返し部４１３、４１４をそれぞれマットレスＭの下に折り込む（図１２（１））。この結果、各組の２本の締め付けベルト４６０及び２個のベルト通し４７０のうちの一方、並びに締め付けベルト４６１及びベルト通し４７１のうちの一方はマットレスＭの下側に位置し、残りはマットレスＭの上側に位置する。
【００６７】
次に、マットレスＭの上側に位置する締め付けベルト４６０、４６１を、それぞれマットレスＭの下側に位置するベルト通し４７０、４７１の細孔４７２、４７３に下から上に向かって通し、マットレスＭの下側に位置する締め付けベルト４６０、４６１を、それぞれマットレスＭの上側に位置するベルト通し４７０、４７１の細孔４７２、４７３に上から下に向かって通す（図１２（２））。
そして、２個の細孔４７２に通した２本の締め付けベルト４６０同士を結び、２個の細孔４７３に通した２本の締め付けベルト４６１同士を結ぶ（図１２（３））。以上により、補助シーツ４１０はマットレスＭに取り付けられる。
【００６８】
マットレスＭに取り付けられた補助シーツ４１０は、第１実施例と同様の手順（Ｓ３２〜Ｓ３９）でマットレスＭから取り外すことができる。
【００６９】
上記補助シーツ４１０では、締め付けベルト４６０、４６１をベルト通し４７０、４７１の細孔４７２、４７３に通した後で、各組の締め付けベルト４６０、４６１同士を結ぶため、補助シーツ４１０のマットレスＭへの取付作業にやや時間がかかるものの、補助シーツ４１０をマットレスに強く固定することができる。  
【００７０】
［第６実施例］
図１３は、第６実施例に係る上半身用補助シーツ（以下、「補助シーツ」という。）５１０の平面図である。第５実施例に係る補助シーツ４１０と同一又は対応する部分には下２桁が同じ数字を付している。
【００７１】
この補助シート５１０は、締め付けベルト５６０、５６１の縁部が鋸歯状になっている以外は、第５実施例に係る補助シーツ４１０と同じ構成である。このため、補助シーツ５１０をマットレスに取り付ける作業は第５実施例とほぼ同じ手順になる。また、締め付けベルト５６０、５６１の縁部を鋸歯状にしたことにより、補助シート５１０をより強くマットレスに取り付けることができる。
【００７２】
［第７実施例］
図１４は、第７実施例に係る上半身用補助シーツ（以下、「補助シーツ」という。）６１０の平面図である。第２実施例に係る補助シーツ１１０と同一又は対応する部分には下２桁が同じ数字を付して、適宜説明を省略する。
この補助シーツ６１０は、表面側がパイル地等の吸収性シート、裏面側がポリプロペン等の防水性シートから構成されている。
補助シーツ６１０は、長方形状の被覆部６１２と、該被覆部６１２の左辺部及び右辺部にそれぞれ延設された左折り返し部６１３及び右折り返し部６１４と、被覆部６１２の上辺部に延設された頭頂部６１５と、頭頂部６１５の左辺部及び右辺部に延設された左折込部６５２及び右折込部６５３とから成る。
【００７３】
左折込部６５２の裏面であって頭頂部６１５との境界付近の上下端部には、面ファスナーのオス面６６１とメス面６６２が縫いつけられている。また、右折込部６５３の裏面であって、頭頂部６１５との境界付近の上下端部には、面ファスナーのオス面６６３とメス面６６４が縫いつけられている。
【００７４】
また、被覆部６１２及び左右の折り返し部６１３、６１４の下端部には所定の幅の防水帯域６８０が形成されている。防水帯域６８０は、シーツ本体６１１の下端部を表側に折り返し、縫合することにより形成されている。シーツ本体６１１の裏面側が防水性材料から構成されているため、折り返すことにより裏面の防水性材料が表側に露出する。
【００７５】
このように、補助シーツ６１０では、第２実施例の補助シーツ１１０の結び紐１５０に代えて面ファスナーとしたため、頭頂部６１５を簡単に袋状にすることができる。
また、シーツ本体６１１の下端部に防水帯域６８０を設けたため、被覆部６１２の上に液体状の汚れが付着した場合であっても、その汚れが被覆部６１２からマットレス側に流れ出ることを防止できる。
【００７６】
さらに、折込部６５２、６５３を頭頂部６１５の幅とほぼ同じにしたため、マットレスの上端部の表面と側面が頭頂部６１５と折込部６５２、６５３で覆われる。マットレスの上半部の残り部分の表面と側面は被覆部６１２と折り返し部６１３、６１４によって覆われるため、マットレスに汚れが付着することを確実に防止することができる。また、マットレスの上半部の全体が補助シーツ６１０によって完全に覆われるため、見た目もよい。
【００７７】
［第８実施例］
図１５は、第８実施例に係る上半身用補助シーツ（以下、「補助シーツ」という。）７１０の平面図、図１６は補助シーツ７１０の展開図である。第１実施例に係る補助シーツ１０と同一又は対応する部分には下２桁が同じ数字を付して、適宜説明を省略する。
この補助シーツ７１０はシーツ素材７１０Ａをシール加工することにより予め袋状の頭頂部７１５を形成した点が上記実施例と異なる。
【００７８】
シーツ素材７１０Ａは、１枚の不織布シートを切り抜き加工したもので、被覆部７１２、左右の折り返し部７１３、７１４、頭頂部展開部７１５Ａ、及び頭頂部展開部７１５Ａの左辺部の上下に位置する２個のシール部７２０、頭頂部展開部７１５Ａの右辺部の上下に位置する２個のシール部７２１を有する。
【００７９】
シーツ素材７１０Ａの頭頂部展開部７１５Ａを二点鎖線Ｌ１に沿って半分に折り、シール部７２０同士、シール部７２１同士をそれぞれ熱圧着する（図１５中、符号Ｈ１、Ｈ２で示す領域が熱圧着した箇所。熱圧着部Ｈ１、Ｈ２は本発明の保持部に相当する。）。これにより、袋状の頭頂部７１５が形成される。
このような構成の補助シーツ７１０は、次のようにして寝具に取り付けられる。
まず、頭頂部７１５を寝具の上端部に被せる。そして、被覆部７１２を寝具の上に広げ、左折り返し部７１３及び右折り返し部７１４をそれぞれ寝具の下に折り込む。
このように本実施例では、頭頂部７１５を袋状にするために紐を結んだり、ベルトをベルト通しに通したりする必要がない。
【００８０】
なお、予めシール加工により袋状の頭頂部を形成した他の上半身用補助シーツの例を図１７〜図２２に示す。
図１７の補助シーツ８１０は、図１８に示すシーツ素材８１０Ａを二点鎖線Ｌ２に沿って折り曲げ、上端部を熱圧着加工したものである。この例では、シーツ素材８１０Ａのうち左側の頭頂部を構成する部分と左折り返し部８１３、右側の頭頂部を構成する部分と右の折り返し部８１４がそれぞれ?がっているため、シーツ素材８１０Ａを二点鎖線Ｌ２に沿って折り曲げると、頭頂部８１５が形成されるとともに、折り返し部８１３、８１４が補助シーツ８１０の裏側に位置する。この結果、マットレスの上半部の表面及び裏面のほぼ全てを覆う補助シーツ８１０が完成する。
【００８１】
図１９に示す補助シーツ９１０は、図２０に示すシーツ素材９１０Ａを二点鎖線Ｌ３に沿って折り曲げ、左右両側の上部を熱圧着加工したものである（図１９において符号Ｈ４で示す領域が熱圧着部）。この補助シーツ９１０も、図１７に示す補助シーツ８１０と同様、マットレスの上半部の表面及び裏面のほぼ全てを覆う。
【００８２】
図２１に示す補助シーツ１０１０は、図２２に示すシーツ素材１０１０Ａの頭頂部展開部１０１５Ａを二点鎖線Ｌ４に沿って折り曲げ、その部分の左右両側を熱圧着加工することにより頭頂部１０１５を形成したものである（図２１において符号Ｈ５で示す領域が熱圧着部）。補助シーツ１０１０は、被覆部１０１２の上辺に前記頭頂部１０１５が延設されているが、被覆部１０１２の左右の辺部に折り返し部が設けられていない簡便なタイプで、頭頂部１０１５をマットレスの上端部に被せて、被覆部１０１２を広げることによりマットレスに取り付けられる。
【００８３】
なお、上記実施例の上半身用補助シーツは本発明の一例であり、本発明の趣旨の範囲で適宜に変形や修正、追加が許容される。
【００８４】
上述した補助シーツに枕を収納するためのポケットを設けても良い。具体的には、図２３に示す補助シーツ１１１０は、頭頂部１１１５に、枕を収納するためのポケット１１１８を設けたものである。このポケット１１１８は、上部に開口１１１８ａを有しており、ここから枕を挿入する。また、図２４に示す補助シーツ１２１０は、頭頂部１２１５に、枕を収納するためのポケット１２１８を設けたものである。このポケット１２１８は、側部に開口１２１８ａを有しており、ここから枕を挿入する。
【００８５】
例えば、シーツ本体の材料は、一般のシーツやドローシーツに使用される素材であればどのようなものでも用いることができる。また、伸縮性を有する素材を用いれば、補助シーツがマットレスよりも若干小さくても、該補助シーツを引き延ばして使用することができる。特に、圧着加工により頭頂部を袋状にしたタイプの補助シーツでは、伸縮性を有する布や紙、不織布等をシーツ素材として採用することが好ましい。
【００８６】
第３実施例においては、被覆部のうち、寝床の左右の側辺に対応する部分にも防水帯域を設けると、汚れが寝床の側辺から広がることを防止できる。
【００８７】
繋止部材は、ゴム紐や一対の結び紐、面ファスナーなどは、頭頂部を袋状にすることができる部材であれば特に限定されず、例えばボタンとボタン穴であってもよい。また、繋止部材を補助シーツに取り付ける手段は、縫合や接着などに限定されず、例えばステイプラーなどによる固定であってもよい。この時、マットレスの厚みや幅が多少変化しても対応可能なように、繋止部材の長さが調整できるようになっていればより望ましい。
【符号の説明】
【００８８】
１０、１１０、２１０、３１０、４１０、５１０、６１０、７１０、８１０、９１０、１０１０、１１１０、１２１０…上半身用補助シーツ
１１、１１１、２１１、３１１、４１１、５１１、６１１、７１１、９１１、１０１１…シーツ本体
１２、１１２、２１２、３１２、４１２、５１２、６１２、７１２、８１２、９１２、１０１２、１１１２、１２１２…被覆部
１３、１１３、２１３、３１３、４１３、５１３、６１３、７１３、８１３、９１３…左折り返し部
１４、１１４、２１４、３１４、４１４、５１４、６１４、７１４、８１４、９１４…右折り返し部
１５、１１５、２１５、３１５、４１５、５１５、６１５、７１５、８１５、９１５、１０１５、１１１５、１２１５…頭頂部
１６…ゴム紐
１１１８、１２１８…ポケット
１５０、１５１…結び紐
１５２、１５３、６５２、６５３…折込部
２６０、２６１、３６０、３６１、４６０、４６１、５６０、５６１…締め付けベルト
２７０、２７１、３７０、３７１、４７０、４７１、５７０、５７１…ベルト通し
２７２、２７３、３７２、３７３、４７２、４７３、５７２、５７３…細孔
６６１、６６３…面ファスナーのオス面
６６２、６６４…面ファスナーのメス面
６７０…防水帯域
Ｄ…汚れ
Ｈ…人
Ｍ…マットレス
Ｈ１〜Ｈ４…熱圧着部
【図１】
2016178412.tif 000003
【図２】
2016178412.tif 000004
【図３】
2016178412.tif 000005
【図４】
2016178412.tif 000006
【図５】
2016178412.tif 000007
【図６】
2016178412.tif 000008
【図７】
2016178412.tif 000009
【図８】
2016178412.tif 000010
【図９】
2016178412.tif 000011
【図１０】
2016178412.tif 000012
【図１１】
2016178412.tif 000013
【図１２】
2016178412.tif 000014
【図１３】
2016178412.tif 000015
【図１４】
2016178412.tif 000016
【図１５】
2016178412.tif 000017
【図１６】
2016178412.tif 000018
【図１７】
2016178412.tif 000019
【図１８】
2016178412.tif 000020
【図１９】
2016178412.tif 000021
【図２０】
2016178412.tif 000022
【図２１】
2016178412.tif 000023
【図２２】
2016178412.tif 000024
【図２３】
2016178412.tif 000025
【図２４】
2016178412.tif 000026
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
寝床の上部分の表面を覆う矩形状の被覆部と、
前記被覆部の左右の側辺部分にそれぞれ延設された、前記寝床の厚みよりも大きな幅を有する左右の折り返し部と、
前記被覆部の頭部側辺部分に延設された、前記寝床の厚みよりも大きな長さを有する頭頂部と、
前記被覆部と前記頭頂部の境界部分の左端及び右端と、前記頭頂部の先端辺部分の左及び右の所定箇所をそれぞれ繋ぎ止めるための左右の繋止部材と
を有することを特徴とする上半身用補助シーツ。
【請求項２】
前記被覆部、前記左右の折り返し部、及び前記頭頂部が、防水性及び吸水性の少なくとも一方を有する１枚のシーツ素材から形成されていることを特徴とする請求項１に記載の上半身用補助シーツ。
【請求項３】
前記左の繋止部材が、前記被覆部と前記頭頂部の境界部分の左端、及び前記頭頂部の先端辺部分の左の所定箇所にそれぞれ取り付けられた、一対の結び紐から構成され、
前記右の繋止部材が、前記被覆部と前記頭頂部の境界部分の右端、及び前記頭頂部の先端辺部分の右の所定箇所にそれぞれ取り付けられた、一対の結び紐から構成されていることを特徴とする請求項１又は２に記載の上半身用補助シーツ。
【請求項４】
前記左の繋止部材が、前記被覆部と前記頭頂部の境界部分の左端、及び前記頭頂部の先端辺部分の左の所定箇所にそれぞれ取り付けられた、一対の結び紐から構成され、
前記右の繋止部材が、前記被覆部と前記頭頂部の境界部分の右端、及び前記頭頂部の先端辺部分の右の所定箇所にそれぞれ取り付けられた、一対の結び紐から構成され、
前記被覆部、前記左右の折り返し部、前記頭頂部、前記左の繋止部材を構成する一対の結び紐、及び前記右の繋止部材を構成する一対の結び紐が、防水性及び吸水性の少なくとも一方を有する１枚のシーツ素材から形成されていることを特徴とする請求項１に記載の上半身用補助シーツ。
【請求項５】
前記左の繋止部材が、前記被覆部と前記頭頂部の境界部分の左端、及び前記頭頂部の先端辺部分の左の所定箇所に掛け渡されたゴム紐から構成され、
前記右の繋止部材が、前記被覆部と前記頭頂部の境界部分の右端、及び前記頭頂部の先端辺部分の右の所定箇所に掛け渡された伸縮部材から構成されていることを特徴とする請求項１又は２に記載の上半身用補助シーツ。
【請求項６】
前記頭頂部の左右の側辺部分に、寝床の厚みより大きな幅の左右の折込部が延設されていることを特徴とする請求項１〜５のいずれかに記載の上半身用補助シーツ。
【請求項７】
前記被覆部の下辺部分及び／又は左右の側辺部分が防水性となっていることを特徴とする請求項１〜６のいずれかに記載の上半身用補助シーツ。
【請求項８】
寝床の上端部に被せられる袋状の頭頂部と、
前記頭頂部の下端辺部に延設された、前記寝床の上半部の表面のうち上端部を除く部分を覆う矩形状の被覆部と、
前記被覆部の左右の辺部にそれぞれ延設された左右の折り返し部と
を備え、
前記頭頂部、前記被覆部、及び前記左右の折り返し部が、１枚のシーツ素材から形成され、
前記頭頂部が、前記１枚のシーツ素材を折り曲げた状態が保持部で保持されることにより袋状に構成されており、前記保持部が、前記袋状の頭頂部の大きさを調整可能であることを特徴とする上半身用補助シーツ。
【請求項９】
前記保持部が、上下方向に折り曲げた状態のシーツ素材の左端及び右端をそれぞれ繋ぎ止める複数の繋止部材から構成されており、を
前記繋止部材が、前記頭頂部の左右の辺部の対向する２箇所の一方に設けられたベルトと他方に設けられた該ベルトが挿入されるベルト通しとから構成され、
前記ベルト及び前記ベルト通しが、前記頭頂部、前記被覆部、及び前記左右の折り返し部とともに１枚のシーツ素材から形成されている請求項８に記載の上半身用補助シーツ。
【請求項１０】
前記ベルト通しに挿入された前記ベルトが該ベルト通しから抜け出ることを妨げるための鋸歯部が、前記ベルトの両側縁部に形成されていることを特徴とする請求項９に記載の上半身用補助シーツ。
【請求項１１】
前記頭頂部が、枕を収容するための枕収容部を有することを特徴とする請求項８〜１０のいずれかに記載の上半身用補助シーツ。
【国際調査報告】
2016178412.tif 000027
2016178412.tif 000028
2016178412.tif 000029
2016178412.tif 000030